(57)【要約】【課題】有効な射撃に必要となる情報を把握できる銃操作情報提供装置を提供する。【解決手段】銃１３の操作者２０が前記銃の操作と概ね並行して使用可能な位置に装着され、前記銃の操作に関する情報を前記操作者２０が入力するための情報入力部６を備えている。【選択図】　図１
2004085068.tif 000002
【特許請求の範囲】
【請求項１】
銃の操作者が前記銃の操作と概ね並行して使用可能な位置に装着され、前記銃の操作に関する情報を前記操作者が入力するための情報入力部を備えた銃操作情報提供装置。
【請求項２】
銃の操作者が前記銃の操作と概ね並行して使用可能な位置に装着され、前記銃の操作に関する情報を前記操作者に報知する情報報知部を備えた銃操作情報提供装置。
【請求項３】
請求項２記載の銃操作情報提供装置において、
前記銃の操作に関する情報には、前記銃の銃口の向きにいる者が前記操作者の味方であるか否かに関する第１情報が含まれる
銃操作情報提供装置。
【請求項４】
請求項２記載の銃操作情報提供装置において、
前記銃の操作に関する情報には、前記銃に残っている弾の数に関する第２情報が含まれる
銃操作情報提供装置。
【請求項５】
請求項１から４のいずれか１項に記載の銃操作情報提供装置において、
前記銃操作情報提供装置は、前記操作者が前記銃を概ね構えたままの状態で前記情報入力部の操作または前記情報報知部の視認を実行できるように前記操作者の上肢に装着される
銃操作情報提供装置。
【請求項６】
請求項５記載の銃操作情報提供装置において、
前記銃操作情報提供装置は、前記操作者が前記銃の引き金を引く上肢と反対の前記上肢の手首の内側に前記情報入力部または前記情報報知部が配置されるように装着される
銃操作情報提供装置。
【請求項７】
請求項６記載の銃操作情報提供装置において、
前記銃操作情報提供装置は、前記上肢に装着されるリストバンドまたはグローブに設けられる
銃操作情報提供装置。
【請求項８】
請求項３記載の銃操作情報提供装置と、
前記操作者の味方の位置を示す味方位置情報を受信する受信部と、
前記操作者の位置の情報を受けるＧＰＳ部と、
前記銃の方位を検出する方位検出部と
を備えた銃操作情報提供システムであって、
前記銃操作情報提供装置は、
前記味方位置情報と、前記操作者の位置の情報と、前記銃の方位に基づいて、前記第１情報を求める演算部を備えている
銃操作情報提供システム。
【請求項９】
請求項４記載の銃操作情報提供装置と、
前記銃から弾が発射されたときの衝撃を検出する衝撃検出部と
を備えた銃操作情報提供システムであって、
前記銃操作情報提供装置は、
前記衝撃の数に基づいて、前記第２情報を求める演算部を備えている
銃操作情報提供システム。
【発明の詳細な説明】
【０００１】
【発明の属する技術分野】
本発明は、銃操作情報提供装置および銃操作情報提供システムに関する。
【０００２】
【従来の技術】
従来は、ライフルや拳銃等の銃器は、照星と照門で照準を定め、引き金を引き、発射するのみである。
【０００３】
図５は、特開２００１−２８９５９５の公報に記載された従来技術を示している。図５に示すように、従来の銃の照準装置は、銃１０１に取り付けられ、射撃者１０９が、照準装置１０３から目標物（図示せず）に向かう照準線１０５を含む直線１０７に沿った視線によって照準を合わせ、射撃を行っていた。なお、照準装置１０３は、前照準器１０３ｂと後照準器１０３ａとを備えてなる。前照準器１０３ｂは、後照準器１０３ａを覗いて照準を合わせる際に目標方向を定めるものであり（例えば、目標位置が小さな円によって示される）、後照準器１０３ａは、射撃者１０９が覗き込んで照準を合わせることができる。
【０００４】
【発明が解決しようとする課題】
銃を構えた状態で、有効な射撃に必要となる情報を把握できることが望まれている。
銃を構えた状態で、残弾数を確認できることが望まれている。
銃を構えた状態で、有効な射撃に必要となる、敵か味方かを示す敵味方情報を把握できることが望まれている。
銃を構えた状態で、通信できることが望まれている。
【０００５】
本発明の目的は、有効な射撃に必要となる情報を把握できる銃操作情報提供装置を提供することである。
本発明の他の目的は、残弾数を確認できる銃操作情報提供装置を提供することである。
本発明の更に他の目的は、銃を構えた状態で、有効な射撃に必要となる、敵か味方かを示す敵味方情報を把握できる銃操作情報提供装置を提供することである。
本発明の更に他の目的は、銃を構えた状態で、通信できる銃操作情報提供装置を提供することである。
【０００６】
【課題を解決するための手段】
以下に、［発明の実施の形態］で使用する番号・符号を用いて、［課題を解決するための手段］を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００７】
本発明の銃操作情報提供装置（７）は、銃（１３）の操作者（２０）が前記銃（１３）の操作と概ね並行して使用可能な位置に装着され、前記銃（１３）の操作に関する情報を前記操作者（２０）が入力するための情報入力部（６）を備えている。
【０００８】
本発明の銃操作情報提供装置（７）は、銃（１３）の操作者（２０）が前記銃（１３）の操作と概ね並行して使用可能な位置に装着され、前記銃（１３）の操作に関する情報を前記操作者（２０）に報知する情報報知部（４、５）を備えている。
【０００９】
本発明の銃操作情報提供装置（７）において、前記銃（１３）の操作に関する情報には、前記銃（１３）の銃口の向きにいる者が前記操作者（２０）の味方であるか否かに関する第１情報が含まれる。
【００１０】
本発明の銃操作情報提供装置（７）において、前記銃（１３）の操作に関する情報には、前記銃（１３）に残っている弾の数に関する第２情報が含まれる。
【００１１】
本発明の銃操作情報提供装置（７）において、前記銃操作情報提供装置（７）は、前記操作者（２０）が前記銃（１３）を概ね構えたままの状態で前記情報入力部（６）の操作または前記情報報知部（４、５）の視認を実行できるように前記操作者（２０）の上肢に装着される。
【００１２】
本発明の銃操作情報提供装置（７）において、前記銃操作情報提供装置（７）は、前記操作者（２０）が前記銃（１３）の引き金を引く上肢と反対の前記上肢の手首の内側に前記情報入力部（６）または前記情報報知部（４、５）が配置されるように装着される。
【００１３】
本発明の銃操作情報提供装置（７）において、前記銃操作情報提供装置（７）は、前記上肢に装着されるリストバンドまたはグローブに設けられる。
【００１４】
本発明の銃操作情報提供システムは、上記銃操作情報提供装置（７）と、前記操作者（２０）の味方の位置を示す味方位置情報を受信する受信部（８）と、前記操作者（２０）の位置の情報を受けるＧＰＳ部（９）と、前記銃（１３）の方位を検出する方位検出部（１０）とを備えた銃操作情報提供システムであって、前記銃操作情報提供装置（７）は、前記味方位置情報と、前記操作者（２０）の位置の情報と、前記銃（１３）の方位に基づいて、前記第１情報を求める演算部（１）を備えている。
【００１５】
本発明の銃操作情報提供システムは、上記銃操作情報提供装置（７）と、前記銃（１３）から弾が発射されたときの衝撃を検出する衝撃検出部（１１）とを備えた銃操作情報提供システムであって、前記銃操作情報提供装置（７）は、前記衝撃の数に基づいて、前記第２情報を求める演算部（１）を備えている。
【００１６】
本発明は、送受信機（アンテナを含む）と、表示部と、入力手段と、ＧＰＳ部と、方位センサ（銃の狙っている方向の方位を測定）および　処理演算装置を有し、銃を向けている対象の敵味方確認が可能な装具である。
【００１７】
本発明は、送受信機（アンテナ、マイク（装具に無線ｏｒ有線で発信する、ピンタイプのマイクも可能）、スピーカ（装具から無線ｏｒ有線で受信する耳朶装着イヤホーンも可）を含む）、及びＧＰＳ部を有し、銃を構えたままで、上位支持者と（音声）通信可能な装具である。
【００１８】
本発明は、送受信機（アンテナを含む）と、ＧＰＳ部と、表示部と、入力手段を有し、銃を構えたままで、上位支持者と（音声によらない）通信可能な装具である。
【００１９】
本発明は、衝撃センサと、演算処理部と、表示部と、入力手段を有し、銃を構えたままで、残弾数を確認可能な装具である。
【００２０】
【発明の実施の形態】
添付図面を参照して、本発明の銃操作情報提供装置の一実施形態を説明する。
【００２１】
図１は、本実施形態の銃操作情報提供装置の形態を模式的に表す図である。
図２は、本実施形態の銃操作情報提供装置を銃の操作者に装着した状態を示す図である。
図３は、本実施形態の銃操作情報提供装置の構成を示すブロック図である。
図４は、本実施形態の銃操作情報提供装置の処理フローを示すフローチャートである。
【００２２】
図１および図２に示すように、本実施形態の銃操作情報提供装置７は、通常、銃１３の操作者２０の銃１３の引き金を引く手と反対側の手に装着される。操作者２０の例えば左手２１の手首または手首に近い腕に装着されている。図１に示すように、操作者２０の左手２１に装着された銃操作情報提供装置７は、その左手２１の手のひら側に、銃操作情報提供装置７により扱われる各種情報の表示又は入力を行うための構成要素（敵味方表示部４、残弾表示部５、制御入力部６等）が向くようになっている。これにより、操作者２０が銃１３の引き金を引く動作等を行う直前などに、その動作の姿勢をなるべく維持したまま、又はその姿勢に直ぐに移行できる状態で、銃操作情報提供装置７が扱う情報の視認又は入力を行い易いようになっている。上記のことから、操作者２０は、銃操作情報提供装置７を銃１３と一体となった状態で使用することができる。
【００２３】
銃操作情報提供装置７は、左手２１の手首又は腕にベルト又はバンド等によって巻かれた状態で装着されることができる。若しくは、銃操作情報提供装置７は、グローブに一体的に設けられ、そのグローブを操作者２０が装着することで、手首の所定の角度に配置されることができる。
【００２４】
図３に示すように、銃操作情報提供装置７は、プロセッサ１、メモリ２、インターフェイス３、敵味方表示部４、残弾表示部５、制御入力部６を有しており、それらはバス１７を介して接続されている。インターフェイス３には、送受信機８、ＧＰＳ部９、方位センサ１０、衝撃センサ１１がそれぞれ接続されている。ＧＰＳ部９は、ＧＰＳの移動局として機能する。
【００２５】
銃操作情報提供装置７には、送受信機８からは、上位システムから送信されてくる、敵および味方の位置、または味方の位置を示す敵味方位置情報が入力される。
また、銃操作情報提供装置７には、ＧＰＳ部９からは、銃操作情報提供装置７を装着している個人２０の自己位置を示す自己位置情報が入力される。
また、銃操作情報提供装置７には、方位センサ１０からは、方位センサ１０を装着した銃１３等の方位を示す方位情報が入力される。
また、銃操作情報提供装置７には、衝撃センサ１１からは、銃１３等から弾を発射したときの衝撃を示す衝撃情報が入力される。
【００２６】
上記のように入力された、敵味方位置情報、自己位置情報、方位情報、衝撃情報は、インターフェイス３を通じてメモリ２に記憶され、プロセッサ１により図４に示す処理フローに従い処理される。
【００２７】
プロセッサ１は、メモリ２に記憶されている情報を図４に示す処理フローにより処理する。
メモリ２は、インターフェイス３を通じて入力される情報を記憶する。
【００２８】
インターフェイス３は、送受信機８、ＧＰＳ部９、方位センサ１０および衝撃センサ１１のそれぞれと銃操作情報提供装置７との間で、各種情報が入出力されるときに用いられるインターフェースである。
【００２９】
プロセッサ１は、上記敵味方位置情報に基づいて、操作者２０の目前又は周囲にいる者若しくは上記方位情報から検出した銃１３の方位にいる者が敵であるか味方であるかを判断し、その判断結果を示す敵味方情報を敵味方表示部４に出力する。
【００３０】
敵味方表示部４は、プロセッサ１から入力した上記敵味方情報に基づいて、操作者２０の目前又は周囲若しくは銃１３の方位に味方がいるか否かの表示を行う。または、敵味方表示部４は、操作者２０の目前又は周囲にいる者若しくは銃１３の方位にいる者が敵・味方のいずれかであるかの表示を行う。この場合、敵味方表示部４は、例えば、それぞれ異なる色で発光する２つの発光部４ａ、４ｂを有しており、どちらの発光部４ａ、４ｂが発光するかで敵・味方のどちらであるかを示すことができる。
【００３１】
プロセッサ１は、銃１３から弾が発射される度に、上記衝撃情報に基づいて、銃１３から発射された弾の数を計数し、予め設定された銃１３の持ち弾の数に基づいて、銃１３の残りの弾の数を演算する。その演算結果は、残弾情報として、プロセッサ１から残弾表示部５に出力される。
【００３２】
残弾表示部５は、プロセッサ１から入力した上記残弾情報に基づいて銃１３の残りの弾の数を表示する。残弾表示部５は、数字自体の表示の他に、残弾の数が所定の数よりも少なくなったときに警告としてのランプが点灯する構成にすることができる。
【００３３】
制御入力部６には、銃操作情報提供装置７の操作に必要な情報が操作者２０から入力される。制御入力部６は、手動により操作されるマウス又はキーボードの機能を有することができる。制御入力部６は、操作者２０のヘルメット１４に設けられるピンタイプのマイクに有線または無線で接続され、マイクに入力された操作者２０の音声を、上記の銃操作情報提供装置７の操作に必要な情報として入力することができる。
【００３４】
上記敵味方情報および残弾情報の少なくとも一方は、敵味方表示部４、残弾表示部５による表示に追加して、またはその表示に代えて、音声信号に変換された上で、操作者２０の耳たぶに装着されるイヤホーンタイプのスピーカから操作者２０に伝達されることができる。
【００３５】
また、図３には図示しないが、銃操作情報提供装置７には、敵味方表示部４、残弾表示部５以外にも、例えば、上位システム（上位支持者）との通信結果を視覚的に表示するための表示部が設けられることができる。これにより、操作者２０は、銃１３を構えたままで、上位システムから送受信機８を介して受信した指示を視認することができる。
【００３６】
図２に示すように、送受信機８は人間２０の身体に装着されたハーネス体１８に設けられている。送受信機８のアンテナ１２およびＧＰＳ部９は、人間２０のヘルメット１４に設けられる（ＧＰＳ部９は図２に図示せず）。方位センサ１０および衝撃センサ１１は、銃１３に装着される。
【００３７】
次に、図４を参照して、銃操作情報提供装置７の動作について説明する。
【００３８】
ステップＳ１に示すように、送受信機８は、操作者２０の上位システムから、上記敵味方位置情報として、味方の位置の情報を受信する。
ステップＳ２に示すように、ＧＰＳ部９から自己２０の現在位置を示す自己位置情報を入力する。
ステップＳ３に示すように、方位センサ１０から銃１３の銃口の方位（方向）を示す方位情報を入力する。
【００３９】
次に、ステップＳ４に示すように、自己２０の現在位置と、銃１３の銃口の方向と、味方の位置に基づいて、銃１３の方向およびその周囲に味方がいるか否かを判断する。
そのステップＳ４の結果、味方がいると判断した場合には、敵味方表示部４により、味方がいる旨を表示し（ステップＳ５、Ｓ６）、敵がいると判断した場合には、敵味方表示部４により、敵がいる旨を表示する（ステップＳ５、Ｓ７）。
【００４０】
ステップＳ８に示すように、衝撃センサ１１から衝撃を検出した旨の情報を入力する。
次に、ステップＳ９に示すように、ステップＳ８で入力した情報に基づいて、弾数を所定の衝撃を検出した数だけ引く。
次に、ステップＳ１０に示すように、ステップＳ９の結果により求められる残弾の数を残弾表示部５に表示する。
【００４１】
次に、銃操作情報提供装置７の使用方法について説明する。
【００４２】
隊員２０は通常、銃操作情報提供装置７を、利き腕（引き金を引く腕）と反対側の手首裏に装着する。
銃操作情報提供装置７には、送受信機８、ＧＰＳ部９、方位センサ１０および衝撃センサ１１を接続する。
【００４３】
上位の指示者から無線等で指示を受けた場合、隊員２０は銃１３を構えたままの状態で、銃操作情報提供装置７の制御入力部６等を操作し指示者に返答することができる。
隊員２０は、銃１３を構えたままの状態で、敵味方表示部４によって、銃１３の銃口を向けた人間が敵か味方かを確認したうえで射撃することができる。
隊員２０は、射撃時には、残弾表示部５により残弾を確認したうえで射撃することができる。
【００４４】
【発明の効果】
本発明の銃操作情報提供装置によれば、銃の操作者は、有効な射撃に必要となる情報を把握することができる。
【図面の簡単な説明】
【図１】図１は、本発明の銃操作情報提供装置の一実施形態の形態を示す模式図である。
【図２】図２は、本発明の銃操作情報提供装置の一実施形態が銃の操作者に装着された状態を示す模式図である。
【図３】図３は、本発明の銃操作情報提供装置の一実施形態の構成を示すブロック図である。
【図４】図４は、本発明の銃操作情報提供装置の一実施形態の動作を示すフローチャートである。
【図５】図５は、従来の操作者による銃の操作状態を示す模式図である。
【符号の説明】
１　プロセッサ
２　メモリ
３　インターフェース
４　敵味方表示部
４ａ　発光部
４ｂ　発光部
５　残弾表示部
６　制御入力部
７　銃操作情報提供装置
８　送受信機
９　ＧＰＳ部
１０　方位センサ
１１　衝撃センサ
１３　銃
１４　ヘルメット
１７　バス
１８　ハーネス体
２０　操作者
２１　左手
１０１　銃
１０３　照準装置
１０３ａ　後照準器
１０３ｂ　前照準器
１０５　照準線
１０７　直線
１０９　射撃者
【図１】
2004085068.tif 000003
【図２】
2004085068.tif 000004
【図３】
2004085068.tif 000005
【図４】
2004085068.tif 000006
【図５】
2004085068.tif 000007